(57)【要約】【課題】筐体内に挿入された導線を湾曲させた状態で導線の先端を半田付けすることになる。導線は弾性変形するので、湾曲させて半田付けすると、導線の復元力は導線の先端を半田付けした部分から離そうとする方向に作用する。とくに半田付けする部分が回路基板表面に被着された銅箔であると、銅箔ごと回路基板から剥離するおそれが生じる。【解決手段】導線の先端が端子部に接触する状態で湾曲状態を保持し、導線の復元力が半田付け部に作用しないようにする導線保持部を、回路基板と筐体とのうちのいずれか一方に設ける。【選択図】  図３
2011108784.tif 000002
【特許請求の範囲】
【請求項１】
筐体に格納された回路基板の上面に端子部が形成されており、帯状の弾性変形し得る導線を回路基板の裏側から筐体内に挿通し、回路基板の上側で導線を湾曲させて、導線の先端を回路基板の端子部に半田付けする半田付け構造において、導線の先端が端子部に接触する状態で湾曲状態を保持し、導線の復元力が半田付け部に作用しないようにする導線保持部を、回路基板と筐体とのうちのいずれか一方に設けたことを特徴とする半田付け構造。
【請求項２】
上記端子部の近傍に位置して門型の部材を回路基板に取り付けて導線保持部とし、導線をこの門型の部材をくぐらせて端子部に半田付けすることを特徴とする請求項１に記載の半田付け構造。
【請求項３】
導線を内部に挿入するための開口が筐体に形成されており、この開口から導線を挿入すると導線の先端が突き当たる庇部を設けて導線保持部とし、この庇部で導線を湾曲させて端子部に半田付けすることを特徴とする請求項１に記載の半田付け構造。
【請求項４】
導線を内部に挿入するための開口が筐体に形成されており、この開口から導線を挿入すると導線を湾曲させるようにガイドするガイド部を設けて導線保持部とし、このガイド部で導線を湾曲した状態で保持した状態で端子部に半田付けすることを特徴とする請求項１に記載の半田付け構造。
【発明の詳細な説明】
【技術分野】
【０００１】
本発明は、弾性変形し得る帯状の導線を湾曲させた状態で回路基板の端子部に半田付けする半田付け構造に関する。
【背景技術】
【０００２】
平板状のモジュールから出力用の１対の導線が突設されており、そのモジュールに筐体を取り付け、筐体内の回路基板に導線を電気的に接続することが行われている（例えば、特許文献１、特許文献２参照）。
【０００３】
このうち、特許文献２には、板状の金属材料を曲げ加工して導線の先端を弾性力で把持する把持部を形成し、その把持部に導線の先端を差し込むことによって導線を把持部に対して電気的に接続する構成が示されている。
【先行技術文献】
【特許文献】
【０００４】
【特許文献１】特開２０００−６８５４２号公報（図３）
【特許文献２】特開２００９−２４６０３９号公報（図５）
【発明の概要】
【発明が解決しようとする課題】
【０００５】
上記特許文献２に記載されたものでは、導線の先端を把持部に差し込むだけで接続が行われるので、一見優れているように思えるが、確実に導線の先端を把持させるためには導線の突出長さを正確に管理する必要がある。また、弾性力で導線の先端を把持しているだけであるので、接触不良が発生しやすいという不具合がある。さらに、導線を把持部に挿入する際に、導線の先端と把持部との間の摩擦力が挿入時の抵抗となり、導線がたわんでしまって確実に導線の先端が把持部に挿入されにくいという不具合もある。
【０００６】
これらの不具合はすべて把持部で導線の先端を把持することによって電気的に接続する構成を採用することによって生じている。そこで、導線の先端を半田付けすればこれらの不具合はすべて解消される。ところが、半田付け作業は筐体の開口部分から行わなければならないのに対して導線はその反対側から筐体内に挿入される。そのため、筐体内に挿入された導線を湾曲させた状態で導線の先端を半田付けすることになる。
【０００７】
導線は弾性変形するので、湾曲させて半田付けすると、導線の復元力は導線の先端を半田付けした部分から離そうとする方向に作用する。とくに半田付けする部分が回路基板表面に被着された銅箔であると、銅箔ごと回路基板から剥離するおそれが生じる。
【０００８】
そこで本発明は、上記の問題点に鑑み、導線の先端を半田付けすることにより回路基板に接続しても導線の復元力が半田付け部に作用しない半田付け構造を提供することを課題とする。
【課題を解決するための手段】
【０００９】
上記課題を解決するために本発明による半田付け構造は、筐体に格納された回路基板の上面に端子部が形成されており、帯状の弾性変形し得る導線を回路基板の裏側から筐体内に挿通し、回路基板の上側で導線を湾曲させて、導線の先端を回路基板の端子部に半田付けする半田付け構造において、導線の先端が端子部に接触する状態で湾曲状態を保持し、導線の復元力が半田付け部に作用しないようにする導線保持部を、回路基板と筐体とのうちのいずれか一方に設けたことを特徴とする。
【００１０】
導線を湾曲させた状態で半田付けすると導線は復元しようとするが、その復元力は導線保持部が受けて、半田付け部には復元力が作用しない。
【００１１】
具体的には、上記端子部の近傍に位置して門型の部材を回路基板に取り付けて導線保持部とし、導線をこの門型の部材をくぐらせて端子部に半田付けしてもよい。
【００１２】
また、導線を内部に挿入するための開口が筐体に形成されており、この開口から導線を挿入すると導線の先端が突き当たる庇部を設けて導線保持部とし、この庇部で導線を湾曲させて端子部に半田付けしてもよい。
【００１３】
あるいは、導線を内部に挿入するための開口が筐体に形成されており、この開口から導線を挿入すると導線を湾曲させるようにガイドするガイド部を設けて導線保持部とし、このガイド部で導線を湾曲した状態で保持した状態で端子部に半田付けしてもよい。
【発明の効果】
【００１４】
以上の説明から明らかなように、本発明によれば、導線の復元力は導線保持部が受けて半田付け部に作用しないので、復元力によって半田付け部分が剥がれるなどの不具合が生じない。
【図面の簡単な説明】
【００１５】
【図１】本発明の一実施の形態の構成を示す図
【図２】第１の実施の形態における分解斜視図
【図３】導線の湾曲状態を示す断面図
【図４】第２の実施の形態における分解斜視図
【図５】導線の湾曲状態を示す断面図
【図６】第３の実施の形態における分解斜視図
【図７】導線の湾曲状態を示す断面図
【発明を実施するための形態】
【００１６】
図１を参照して、１は板状の発電モジュールであり、この発電モジュールの裏面に後述する回路基板を内蔵した筐体２が両面テープ２２によって取り付けられている。２１は筐体２の蓋である。
【００１７】
図２及び図３を参照して、発電モジュール１の裏面には１対の導線１１が、発電モジュール１の裏面に対してほぼ直角方向に突出している。この導線は帯状に形成されており、先端部１２以外は絶縁材料で被覆されている。また、図示の状態で自立できる強度を有しているとともに、後述するように弾性変形させて湾曲させることができる。筐体２内には回路基板３が格納されている。この回路基板３には導線１１が挿通される開口３２が形成されており、筐体２の底面に形成された開口２０に挿入された導線をさらに開口３２に挿入することにより導線１１の先端部１２は回路基板の上側に突出するように構成されている。
【００１８】
回路基板３にはこの先端部１２が半田付けされる端子部３１が形成されている。そして、本実施の形態では、開口３２と端子部３１との間に門型のジャンパー端子４を導線保持部として設けた。このジャンパー端子は回路基板３に取り付けられる図示しない他の電子部品とともに実装され、予め回路基板３に半田付けされている。ただし、本発明ではこのジャンパー端子４は他のいずれの電子部品に対しても電気的に接続しないか、あるいは端子部３１に対して電気的に接続することが望ましい。
【００１９】
導線１１の先端部１２を端子部３１に半田付けする際には、導線１１を湾曲させて先端部１２をジャンパー端子４にくぐらせて、図３に示す状態にする。この状態では、導線１１は湾曲しているため元の真っ直ぐな状態に復元しようとするが、その復元はジャンパー端子４によって抑制される。すなわち、導線１１の復元力はジャンパー端子４が受けることになる。そのため、導線１１から手を離しても先端部１２は端子部３１に接触したままの状態で保持される。その状態で半田付けを行い、先端部１２を端子部３１に半田付けし、その後筐体２内に樹脂を注入して最後に蓋２１を筐体２に取り付けて半田付け作業を完了する。なお、Ｓは半田である。
【００２０】
上記実施の形態ではジャンパー端子４を導線保持部としたが、その他の構成として、例えば図４及び図５に示す構成でもよい。この構成では、導線保持部として庇部５を筐体２と一体に形成した。この庇部５は１対の導線１１に対しておのおの同じ方向に設けられており、開口２０を通って導線１１が筐体２内に挿入されると先端部１２がこの庇部５に突き当たる。先端部１２は一方向にしか湾曲できないように規制されるので、必然的に端子部３１側に向かって湾曲する。なお、回路基板３に１対の突起部３３を設けた。この突起部３３は回路基板３を筐体２内に取り付けた際に、庇部５の下方の空間５１に係合して回路基板３の位置決めを行うものである。この実施に形態では、図５に示すように、導線１１の復元力は庇部５によって受けられて、半田付け部に影響することはない。
【００２１】
上記２つの実施の形態では、導線１１を湾曲させるには手作業によって導線１１を湾曲させる必要がある。そこで、図６及び図７に示すように、筐体２に導線保持部としてガイド部６を形成した。このガイド部６は、図７に示すように内側にガイド面６１が形成されており、導線１１が開口２０から挿入されると、ガイド面２０に沿って導線１１が湾曲され、導線１１の挿入が完了した時点で先端部１２が端子部３１に当接するように構成されている。この実施の形態でも湾曲した導線１１の復元力はガイド部６が受けるので半田付け部には復元力は作用しない。
【００２２】
なお、本発明は上記した形態に限定されるものではなく、本発明の要旨を逸脱しない範囲内において種々の変更を加えてもかまわない。
【符号の説明】
【００２３】
１ 発電モジュール
２ 筐体
３ 回路基板
４ ジャンパー端子
５ 庇部
６ ガイド部
１１ 導線
１２ 先端部
２０ ガイド面
２０ 開口
２２ 両面テープ
３１ 端子部
３２ 開口
３３ 突起部
５１ 空間
６１ ガイド面
【図１】
2011108784.tif 000003
【図２】
2011108784.tif 000004
【図３】
2011108784.tif 000005
【図４】
2011108784.tif 000006
【図５】
2011108784.tif 000007
【図６】
2011108784.tif 000008
【図７】
2011108784.tif 000009